(57)【要約】【課題】表示媒体が載せられる面に表示媒体を固定し、表示媒体の着脱時には容易に表示媒体を着脱できるようにする。【解決手段】磁石２２が磁石１２Ａおよび磁石１５Ａと対向すると、磁石２２と磁石１２Ａとの間に斥力が発生し、蓋部１Ｂと表示装置２との間に隙間が生じる。また、磁石１５Ａと磁石２２との間にも斥力が発生する。磁石２２が、磁石１２Ｃおよび磁石１５Ｃと対向すると、磁石２２と磁石１２Ｃとの間に引力が発生する。また、磁石１５Ｃと磁石２２との間にも引力が発生する。磁石２２と磁石１２Ｃおよび磁石１５Ｃとの間に引力が発生すると、この引力によって表示装置２が本体部１Ａに密着すると共に、蓋部１Ｂが表示装置２に密着する。【選択図】図８
2011007878.tif 000002
【特許請求の範囲】
【請求項１】
表示媒体と磁石とを有する表示装置を固定する表示媒体固定装置であって、
表示媒体と磁石とを有する表示装置が載せられる表面と、
前記表面と交わる第１側面と、
前記表面と交わり前記第１側面と対向する第２側面と、
前記第１側面に沿って配置され、該表面側に第１極が向けられた第１磁石と、
前記第１側面から見て前記第１磁石より前記第２側面側で前記第１側面に沿って配置され、該表面側に第１極が向けられた第２磁石と、
前記第１側面から見て前記第２磁石より前記第２側面側で前記第１側面に沿って配置され、該表面側に前記第１極とは異なる第２極が向けられた第３磁石と、
を有する本体部と、
前記本体部の表面と対向し、前記表面の方向および前記表面の方向と反対方向へ移動可能な上壁部と、
前記上壁部において前記第１磁石と対向し、前記第１磁石側に前記第２極が向けられた第４磁石と、
前記上壁部において前記第２磁石と対向し、前記第２磁石側に前記第２極が向けられた第５磁石と、
前記上壁部において前記第３磁石と対向し、前記第３磁石側に前記第１極が向けられた第６磁石と、
を有する蓋部
を有する表示媒体固定装置。
【請求項２】
表示媒体と磁石とを有する表示装置を固定する表示媒体固定装置であって、
表示媒体と磁石とを有する表示装置が載せられる表面と、
前記表面と交わる第１側面と、
前記表面と交わり前記第１側面と対向する第２側面と、
前記第１側面に沿って配置され、前記表面側に第１極が向けられた第１磁石と
を有する本体部と、
前記本体部の表面と対向する上壁部と、
前記上壁部と対向して前記本体部の内部に位置する下壁部と、
前記上壁部において前記第１磁石と対向し、前記第１磁石側に前記第１極と異なる第２極が向けられた第２磁石と、
前記下壁部において前記第２磁石と対向し、前記第２磁石側に前記第１極が向けられた第３磁石とを有し、
前記第１側面に沿った軸で回転可能に支持された蓋部と
を有する表示媒体固定装置。
【請求項３】
前記上壁部は、前記第１側面側から見て前記第１磁石より前記第２側面側で前記第１側面に沿って配置され、前記表面側に第２極が向けられた第４磁石を有すること
を特徴とする請求項２に記載の表示媒体固定装置。
【請求項４】
表示媒体が載せられる表面と、
前記表面と交わる第１側面と、
前記表面と交わり前記第１側面と対向する第２側面と、
前記第１側面に沿って配置され、流される電流の方向により前記表面側の極が変化する第１電磁石と、
前記第１側面から見て前記第１磁石より前記第２側面側で前記第１側面に沿って配置され、流される電流の方向により前記表面側の極が変化する第２電磁石と
を有する本体部と、
前記第１電磁石と前記第２電磁石に流す電流の方向を可変可能な制御部と、
前記本体部の表面と対向し、前記表面の方向および前記表面の方向と反対方向へ移動可能な上壁部と、
前記上壁部において前記第１電磁石と対向し、前記第１磁石側に第１極が向けられた第１磁石と、
前記上壁部において前記第２電磁石と対向し、前記第２磁石側に第１極が向けられた第２磁石と、
を有する蓋部
を有する表示媒体固定装置。
【請求項５】
表示媒体が載せられる表面と、
前記表面と交わる第１側面と、
前記表面と交わり前記第１側面と対向する第２側面と、
前記第１側面に沿って配置され、該表面側に第１極が向けられた第１磁石と、
前記第１側面から見て前記第１磁石より前記第２側面側で前記第１側面に沿って配置され、該表面側に第１極が向けられた第２磁石と、
を有する本体部と、
前記本体部の表面と対向し、前記表面の方向および前記表面の方向と反対方向へ移動可能な上壁部と、
前記上壁部において前記第１磁石と対向し、流される電流の方向により前記表面側の極が変化する第１電磁石と、
前記上壁部において前記第２磁石と対向し、流される電流の方向により前記表面側の極が変化する第２電磁石と、
を有する蓋部と、
前記第１電磁石と前記第２電磁石に流す電流の方向を可変可能な制御部と
を有する表示媒体固定装置。
【請求項６】
請求項１乃至請求項５のいずれかに記載の表示媒体固定装置と、
前記本体部の前記表面に載せられる表示媒体に対して電圧を印加する電圧印加部と、
前記表面に面し、前記表示媒体に対して光を照射する光出力部と
を有する書き込み装置。
【発明の詳細な説明】
【技術分野】
【０００１】
本発明は、表示媒体固定装置および書き込み装置に関する。
【背景技術】
【０００２】
情報記録用シートに対して画像の書き込みを行う装置として、例えば特許文献１に開示された装置がある。この装置は、情報記録用シートに対して電圧を印加することにより画像の書き込みを行う装置であり、情報記録用シートが装置の側面から装置内部に挿入される。側面から装置内部に挿入された情報記録用シートは、装置内部において持ち上げられ、樹脂薄膜に密着させられる。樹脂薄膜を挟んで情報記録用シートと反対側には、透明電極が配置されており、樹脂薄膜に密着させられた情報記録用シートに対しては、この透明電極から電圧が印加され、画像の書き込みが行われる。
【先行技術文献】
【特許文献】
【０００３】
【特許文献１】特開２００２−７０６８号公報
【発明の概要】
【発明が解決しようとする課題】
【０００４】
本発明は、表示媒体が載せられる面に表示媒体を固定し、表示媒体の着脱時には容易に表示媒体を着脱できる技術を提供することを目的とする。
【課題を解決するための手段】
【０００５】
本発明の請求項１に係る表示媒体固定装置は、表示媒体と磁石とを有する表示装置を固定する表示媒体固定装置であって、表示媒体と磁石とを有する表示装置が載せられる表面と、前記表面と交わる第１側面と、前記表面と交わり前記第１側面と対向する第２側面と、前記第１側面に沿って配置され、該表面側に第１極が向けられた第１磁石と、前記第１側面から見て前記第１磁石より前記第２側面側で前記第１側面に沿って配置され、該表面側に第１極が向けられた第２磁石と、前記第１側面から見て前記第２磁石より前記第２側面側で前記第１側面に沿って配置され、該表面側に前記第１極とは異なる第２極が向けられた第３磁石と、を有する本体部と、前記本体部の表面と対向し、前記表面の方向および前記表面の方向と反対方向へ移動可能な上壁部と、前記上壁部において前記第１磁石と対向し、前記第１磁石側に前記第２極が向けられた第４磁石と、前記上壁部において前記第２磁石と対向し、前記第２磁石側に前記第２極が向けられた第５磁石と、前記上壁部において前記第３磁石と対向し、前記第３磁石側に前記第１極が向けられた第６磁石と、を有する蓋部を有する。
【０００６】
本発明の請求項２に係る表示媒体固定装置は、表示媒体と磁石とを有する表示装置を固定する表示媒体固定装置であって、表示媒体と磁石とを有する表示装置が載せられる表面と、前記表面と交わる第１側面と、前記表面と交わり前記第１側面と対向する第２側面と、前記第１側面に沿って配置され、前記表面側に第１極が向けられた第１磁石とを有する本体部と、前記本体部の表面と対向する上壁部と、前記上壁部と対向して前記本体部の内部に位置する下壁部と、前記上壁部において前記第１磁石と対向し、前記第１磁石側に前記第１極と異なる第２極が向けられた第２磁石と、前記下壁部において前記第２磁石と対向し、前記第２磁石側に前記第１極が向けられた第３磁石とを有し、前記第１側面に沿った軸で回転可能に支持された蓋部とを有する。
【０００７】
本発明の請求項３に係る表示媒体固定装置は、請求項２に記載の構成において、前記上壁部は、前記第１側面側から見て前記第１磁石より前記第２側面側で前記第１側面に沿って配置され、前記表面側に第２極が向けられた第４磁石を有することを特徴とする。
【０００８】
本発明の請求項４に係る表示媒体固定装置は、表示媒体が載せられる表面と、前記表面と交わる第１側面と、前記表面と交わり前記第１側面と対向する第２側面と、前記第１側面に沿って配置され、流される電流の方向により前記表面側の極が変化する第１電磁石と、前記第１側面から見て前記第１磁石より前記第２側面側で前記第１側面に沿って配置され、流される電流の方向により前記表面側の極が変化する第２電磁石とを有する本体部と、前記第１電磁石と前記第２電磁石に流す電流の方向を可変可能な制御部と、前記本体部の表面と対向し、前記表面の方向および前記表面の方向と反対方向へ移動可能な上壁部と、前記上壁部において前記第１電磁石と対向し、前記第１磁石側に第１極が向けられた第１磁石と、前記上壁部において前記第２電磁石と対向し、前記第２磁石側に第１極が向けられた第２磁石と、を有する蓋部を有する。
【０００９】
本発明の請求項５に係る表示媒体固定装置は、表示媒体が載せられる表面と、前記表面と交わる第１側面と、前記表面と交わり前記第１側面と対向する第２側面と、前記第１側面に沿って配置され、該表面側に第１極が向けられた第１磁石と、前記第１側面から見て前記第１磁石より前記第２側面側で前記第１側面に沿って配置され、該表面側に第１極が向けられた第２磁石と、を有する本体部と、前記本体部の表面と対向し、前記表面の方向および前記表面の方向と反対方向へ移動可能な上壁部と、前記上壁部において前記第１磁石と対向し、流される電流の方向により前記表面側の極が変化する第１電磁石と、前記上壁部において前記第２磁石と対向し、流される電流の方向により前記表面側の極が変化する第２電磁石と、を有する蓋部と、前記第１電磁石と前記第２電磁石に流す電流の方向を可変可能な制御部とを有する。
【００１０】
本発明の請求項６に係る書き込み装置は、請求項１乃至請求項５のいずれかに記載の表示媒体固定装置と、前記本体部の前記表面に載せられる表示媒体に対して電圧を印加する電圧印加部と、前記表面に面し、前記表示媒体に対して光を照射する光出力部とを有する。
【発明の効果】
【００１１】
本発明の請求項１に係る発明によれば、表示媒体が載せられる面に表示媒体を固定し、表示媒体の着脱時には容易に表示媒体を着脱できる。
本発明の請求項２に係る発明によれば、表示媒体が載せられる面に表示媒体を固定し、表示媒体の着脱時には容易に表示媒体を着脱できる。
本発明の請求項３に係る発明によれば、表示媒体が載せられる面に表示媒体を固定し、表示媒体の着脱時には容易に表示媒体を着脱できる。
本発明の請求項４に係る発明によれば、表示媒体が載せられる面に表示媒体を固定し、表示媒体の着脱時には容易に表示媒体を着脱できる。
本発明の請求項５に係る発明によれば、表示媒体が載せられる面に表示媒体を固定し、表示媒体の着脱時には容易に表示媒体を着脱できる。
本発明の請求項６に係る発明によれば、光出力部が面する光出力部に表示媒体を密着させることができる。
【図面の簡単な説明】
【００１２】
【図１】本発明の一実施形態に係る書き込み装置の外観図。
【図２】書き込み装置１と表示装置２の上面図。
【図３】表示装置２を書き込み装置１にセットした状態の上面図。
【図４】表示媒体２１の断面を模式的に示した図。
【図５】表示層に印加される電圧と表示層の反射率の関係を示した図。
【図６】書き込み装置１のハードウェア構成を示したブロック図。
【図７】書き込み装置１の本体部１Ａと蓋部１Ｂとを分離した状態を示した図。
【図８】実施形態の動作を説明するための図。
【図９】本発明の第２実施形態に係る書き込み装置と表示装置の上面図。
【図１０】第２実施形態に係る蓋部１Ｄの三面図。
【図１１】第２実施形態に係る本体部１Ｃの外観図。
【図１２】第２実施形態の動作を説明するための図。
【図１３】本発明の第３実施形態に係る書き込み装置と表示装置の上面図。
【図１４】第３実施形態の動作を説明するための図。
【図１５】第４実施形態の本体部１Ｆと蓋部１Ｇとを分離した状態を示した図。
【図１６】第４実施形態の動作を説明するための図。
【図１７】第４実施形態の変形例に係る本体部１Ｆの外観を示した図。
【発明を実施するための形態】
【００１３】
［第１実施形態］
（全体構成）
図１は、本発明の一実施形態に係る書き込み装置１および表示装置２の外観を示した図であり、図２は、書き込み装置１と表示装置２の上面図、図３は、表示装置２を書き込み装置１にセットした状態の上面図である。
【００１４】
表示装置２は、照明器具の光や太陽光などの外光を反射して画像の表示を行う反射型の表示装置である。表示装置２は、矩形で板状の形状をしており、矩形の一辺の両端部分に磁石２２を有している。また、表示装置２は、コレステリック液晶を有する表示層と、光に反応して電荷を発生する感光体を有する感光層、および表示層と感光層を挟んだ導電層が積層された表示媒体２１を備えている。表示装置２は、導電層にパルス状の電圧が印加されている状態で光が照射されると、光が照射された位置にあるコレステリック液晶の配向状態が変化する。すると、光の照射に応じて表示層が外光を透過する部分と外光を反射する部分とに分かれて画像を表示する。
【００１５】
書き込み装置１は、書き込み装置１にセットされた表示装置２に画像を表示させる装置である。書き込み装置１は、表示装置２の導電層と電気的に接続される端子と、表示装置２の表示媒体２１に光を照射する書き込み部を備えており、端子を介して表示装置２の導電層に電圧を印加しつつ表示装置２に対して光を照射し、表示媒体２１に画像を表示させる。
【００１６】
（表示装置２の構成）
図４は、表示装置２が有する表示媒体２１の断面を模式的に示した図である。表示媒体２１は、基板層、導電層、表示層、感光層及びラミネート層を積層した構成となっており、各層の形状は矩形となっている。図４に示したように、基板層２０１Ａが配置されている側が、使用者が画像を視認する側（表示面側）となっており、基板層２０１Ｃが配置されている側が、書き込み装置１から出力された光が照射される側（書き込み面側）となっている。
【００１７】
基板層２０１Ａ，２０１Ｂ，２０１Ｃは、画像を表示する部分の保護や形状の保持を行う層であり、基板層２０１Ａと基板層２０１Ｃは表示装置２の表面に露出している。また、基板層２０１Ｂは、導電層２０２Ｂと導電層２０２Ｃとの間を絶縁する役割を果たしている。なお、本実施形態においては、各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００１８】
導電層２０２Ａ，２０２Ｂ，２０２Ｃ，２０２Ｄは、本実施形態においては酸化インジウムスズで形成されており、透明で光を透過し、且つ導電性を有する層である。なお、各導電層は、透明で光を透過して導電性を有するのであれば、その素材は酸化インジウムスズに限定されず、他の素材であってもよい。
導電層２０２Ａは、基板層２０１Ａの書き込み面側に接しており、導電層２０２Ｂは基板層２０１Ｂの表示面側に接している。また、導電層２０２Ｃは、基板層２０１Ｂの書き込み面側に接しており、導電層２０２Ｄは基板層２０１Ｃの表示面側に接している。
また、導電層２０２Ａには端子２０３Ａが接続され、導電層２０２Ｂには端子２０３Ｂが接続されており、導電層２０２Ｃには端子２０３Ｃが接続され、導電層２０２Ｄには端子２０３Ｄが接続されている。端子２０３Ａ〜２０３Ｄは、書き込み装置１から電圧が印加される端子であり、表示装置２の表面に露出するように配置されている。
【００１９】
導電層２０２Ａの書き込み面側に接している表示層２０４Ｂ、表示層２０４Ｂの書き込み面側に接している表示層２０４Ｇ、および導電層２０２Ｃの書き込み面側に接している表示層２０４Ｒは、コレステリック液晶や光を透過する樹脂など複数の材料からなる層であり、樹脂の中にコレステリック液晶が分散した構成となっている。
コレステリック液晶は、液晶分子がらせん状に捩れて配向しており、電場によって配向が変化し、特定の波長の光を反射する状態又は光を透過する状態に変化する。なお、本実施形態においては、表示層２０４Ｂのコレステリック液晶は青の光（波長が４００ｎｍ〜５００ｎｍの範囲内の光）を反射し、表示層２０４Ｇのコレステリック液晶は緑の光（波長が５００ｎｍ〜６００ｎｍの範囲内の光）を反射し、表示層２０４Ｒのコレステリック液晶は赤の光（波長が６００ｎｍ〜７００ｎｍの範囲内の光）を反射するように調整されているが、各表示層が反射する光は上述のものに限定されるものではない。表示層毎に各々異なる予め定められた波長帯の光を反射するように、コレステリック液晶の材料を選択してもよい。
また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００２０】
導電層２０２Ｂの表示面側に接している感光層２０５Ｒと、導電層２０２Ｄの表示面側に接している感光層２０５ＢＧは、光電効果が生じる層であり、本実施形態においては、電荷発生層２０５１，２０５３と電荷輸送層２０５２を有し、電荷発生層２０５１、電荷輸送層２０５２、電荷発生層２０５３の順で積層された構造となっている。
感光層は、光が照射されると、光が照射された部分の抵抗値が低下する。表示層と感光層を挟む導電層に印加される電圧は、表示層と感光層とに分圧されるが、感光層の抵抗値が低下すると分圧比が変化して表示層に掛かる電圧が増加する。
【００２１】
電荷発生層２０５１と電荷発生層２０５３は、光を吸収して光キャリアを発生する層である。電荷発生層２０５１は、表示面側の導電層から書き込み面側の導電層の方向に流れる光キャリアの量を左右し、電荷発生層２０５３は、書き込み面側の導電層から表示面側の導電層の方向に流れる光キャリアの量を左右している。
電荷輸送層２０５２は、各電荷発生層で発生した光キャリアが注入され、導電層に印加される電圧により生じる電場の方向にドリフトする機能を有する層である。本実施形態においては、感光層２０５Ｒの電荷発生層は、赤色の電荷発生物質（一例としてジブロモアントアントロン）を有しており、青〜緑色の光を吸収する。また、感光層２０５ＢＧの電荷発生層は、青色と緑色の電荷発生物質（一例としてチタニルフタロシアニン）を有しており、赤色の光を吸収する。
【００２２】
感光層２０５Ｒと表示層２０４Ｇの間と、感光層２０５ＢＧと表示層２０４Ｒの間にあるラミネート層２０７は、表示層を感光層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、少なくとも入射する光に対して透過性を有する。ラミネート層２０７に用いられる材料としては、粘着性の高分子材料（例えばウレタン樹脂、エポキシ樹脂、アクリル樹脂、シリコーン樹脂）を挙げることができる。
【００２３】
これらの各層が積層された表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化し、初期状態がフォーカルコニック相である場合には、印加される電圧の増加に伴ってフォーカルコニック相、ホメオトロピック相の順番に変化する。そして、フォーカルコニック相の状態で電圧が除去されると、コレステリック液晶はフォーカルコニック相の状態を保持し、ホメオトロピック相の状態で電圧が除去されると、コレステリック液晶はホメオトロピック相からプレーナ相に変化し、プレーナ相の状態を保持する。
【００２４】
図５（ａ）と図５（ｂ）は、導電層と感光層を介して表示層全体に印加される電圧と表示層における光の反射率との関係を示した図であり、図５（ａ）の曲線Ｒは、印加される電圧と表示層２０４Ｒにおける光の反射率との関係を示したものである。また、図５（ｂ）の曲線Ｇは、印加される電圧と表示層２０４Ｇにおける光の反射率との関係を示したものであり、図５（ｂ）の曲線Ｂは、印加される電圧と表示層２０４Ｂにおける光の反射率との関係を示したものである。
【００２５】
表示層２０４Ｂにおいてプレーナ相またはフォーカルコニック相からフォーカルコニック相へ変化する時の電圧の閾値をＶｂ１、フォーカルコニック相からホメオトロピック相へ変化する時の電圧の閾値をＶｂ２とすると、電圧除去前に導電層と感光層とを介して印加されている電圧がＶｂ２以上の場合、電圧除去後にコレステリック液晶はプレーナ相となって外光中の青の光を反射する。一方、電圧除去前に導電層と感光層とを介して印加されている電圧がＶｂ１とＶｂ２の間の電圧である場合には、電圧除去後にコレステリック液晶はフォーカルコニック相となって外光が透過する。
【００２６】
また、表示層２０４Ｇにおいてプレーナ相またはフォーカルコニック相からフォーカルコニック相へ変化する時の電圧の閾値をＶｇ１、フォーカルコニック相からホメオトロピック相へ変化する時の電圧の閾値をＶｇ２とすると、電圧除去前に導電層と感光層とを介して印加されている電圧がＶｇ２以上の場合、電圧除去後にコレステリック液晶はプレーナ相となって外光中の緑の光を反射する。一方、電圧除去前に導電層と感光層とを介して印加されている電圧がＶｇ１とＶｇ２の間の電圧である場合には、電圧除去後にコレステリック液晶はフォーカルコニック相となって外光が透過する。
【００２７】
また、表示層２０４Ｒにおいてプレーナ相またはフォーカルコニック相からフォーカルコニック相へ変化する時の電圧の閾値をＶｒ１、フォーカルコニック相からホメオトロピック相へ変化する時の電圧の閾値をＶｒ２とすると、電圧除去前に導電層と感光層とを介して印加されている電圧がＶｒ２以上の場合、電圧除去後にコレステリック液晶はプレーナ相となって外光中の赤色の光を反射する。一方、電圧除去前に導電層と感光層とを介して印加されている電圧がＶｒ１とＶｒ２の間の電圧である場合には、電圧除去後にコレステリック液晶はフォーカルコニック相となって外光が透過する。
【００２８】
このように、各表示層のコレステリック液晶は、印加される電圧がプレーナ相（またはフォーカルコニック相）からフォーカルコニック相へ変化する時の電圧の閾値（第１閾値（Ｖｒ１，Ｖｇ１，Ｖｂ１）：表示層の反射率が１０％となる時の電圧）を超えると、フォーカルコニック相に変化し、印加される電圧の電圧値がフォーカルコニック相からホメオトロピック相へ変化する時の電圧の閾値（第２閾値（Ｖｒ２，Ｖｇ２，Ｖｂ２）：表示層の反射率が９０％となる時の電圧）を超えると、ホメオトロピック相に変化する。
【００２９】
次に、表示装置２が備える２つの磁石２２について説明する。磁石２２は、矩形で板状の永久磁石であり、本実施形態においては表示面側がＮ極であり、書き込み面側がＳ極とである。なお、本実施形態においては、磁石２２は矩形となっているが、形状は矩形に限定されず、多角形や円形または楕円形など他の形状であってもよい。
【００３０】
（書き込み装置１の構成）
図６は、書き込み装置１のハードウェア構成を示したブロック図、図７は、書き込み装置１の本体部１Ａと蓋部１Ｂとを分離した状態を示した図、図８（ａ）は、図３のＡ−Ａ線断面図である。
【００３１】
書き込み装置１は、大別すると本体部１Ａと蓋部１Ｂで構成されている。
蓋部１Ｂは、例えば磁石に引きつけられないプラスチックなどの素材で形成されており、矩形の上壁部１１と、上壁部１１の三つの辺から垂直に立ち上がった側壁部１２を有している。側壁部１２は、後述する本体部１Ａのスリット１３に挿入され、蓋部１Ｂは本体部１Ａに対して上下に移動する。
なお、上壁部１１においては、矩形で板状の永久磁石である磁石１２Ａ〜１２Ｃが配置されている。上壁部１１において側壁部１２が設けられていない側にある２つの磁石１２Ａは、本体部１Ａと対向する側がＮ極であり、その反対側がＳ極となっている。また、磁石１２Ａと磁石１２Ｃとの間にある２つの磁石１２Ｂは、本体部１Ａと対向する側がＮ極であり、その反対側がＳ極となっている。また、磁石１２Ｂから見て磁石１２Ａと反対側にある２つの磁石１２Ｃは、本体部１Ａと対向する側がＳ極であり、その反対側がＮ極となっている。
【００３２】
次に、直方体の形状をして内部に空間を有する本体部１Ａは、スリット１３、挿入口１４、磁石１５Ａ〜１５Ｃを有している。スリット１３は、蓋部１Ｂの側壁部１２が挿入されるスリットであり、本体部１Ａの内部の空間へ貫通している。挿入口１４は、記憶媒体としてフラッシュメモリを採用したカード型のメモリーカードが挿入されるスリットである。
【００３３】
磁石１５Ａ〜１５Ｃは、矩形で板状の永久磁石であり、蓋部１Ｂがスリット１３に挿入されると、磁石１５Ａは磁石１２Ａと対向する。また、蓋部１Ｂがスリット１３に挿入されると、磁石１５Ｂは磁石１２Ｂと対向し、磁石１５Ｃは磁石１２Ｃと対向する。なお、２つの磁石１５Ａは、磁石１２Ａと向かい合う側がＳ極であり、その反対側がＮ極となっている。また、２つの磁石１５Ｂは、磁石１２Ｂと向かい合う側がＳ極であり、その反対側がＮ極となっている。また、２つの磁石１５Ｃは、磁石１２Ｃと向かい合う側がＮ極であり、その反対側がＳ極となっている。
【００３４】
また、本体部１Ａは、制御部１０１、書き込み部１０２、電圧印加部１０３、インターフェース部１０５、操作部１０６を有している。
書き込み部１０２は、光を表示媒体２１に照射する機能を有し、制御部１０１によって制御され、表示媒体２１の感光層２０５Ｒ，２０５ＢＧへ光を照射する。この光は、感光層２０５Ｒや感光層２０５ＢＧが吸収する光の波長域内にピーク強度を持ち、バンド幅の狭い光である。また、この光のスペクトルは、感光層２０５Ｒ，２０５ＢＧが吸収する光の波長域のエネルギーが多く含まれるようなスペクトルである。
具体的には、書き込み部１０２は、赤、緑、青の三色で構成された画素を複数有する透過型の液晶パネルと、光源として機能するバックライトを備えた液晶ディスプレイ１０２Ａを備えている。バックライトから出力された光は、液晶パネルを透過し、液晶パネルの上方に固定される表示装置２の書き込み面側に照射される。なお、液晶ディスプレイ１０２Ａは、制御部１０１により制御されて光を出力する画素が制御される。
【００３５】
なお、表示媒体２１に光を照射する構成は、上述した構成に限定されるものではなく、光源としては、例えば冷陰極管、キセノンランプ、ハロゲンランプ、ＥＬ（Electro Luminescence）のいずれかと導光板とを組み合せた光源がある。
また、面発光型のディスプレイ装置（たとえばＣＲＴ（Cathode Ray Tube）、ＰＤＰ（Plasma Display Panel）、ＥＬ、ＦＥＤ（Field Emission Display）、ＳＥＤ（Surface-conduction Electron-emitter Display））などで表示媒体２１に光を照射してもよい。
【００３６】
電圧印加部１０３は、端子２０３Ａに接続される端子と、端子２０３Ｂに接続される端子を備えており、これらの端子を用いて導電層２０２Ａ及び導電層２０２Ｂへパルス状の電圧を印加する。また、電圧印加部１０３は、端子２０３Ｃに接続される端子と、端子２０３Ｄに接続される端子を備えており、これらの端子を用いて導電層２０２Ｃ及び導電層２０２Ｄへパルス状の電圧を印加する。
【００３７】
操作部１０６は、画像を表示する液晶ディスプレイ１０６Ａと、透明で液晶ディスプレイ１０６Ａの表面に配置されたタッチパネル１０６Ｂを備えている。液晶ディスプレイ１０６Ａには、制御部１０１の制御の下、書き込み装置１を操作するための画面が表示される。また、タッチパネル１０６Ｂは、使用者が触れた位置を示す信号を制御部１０１へ出力する。
【００３８】
インターフェース部１０５は、記憶媒体としてフラッシュメモリを採用したカード型のメモリーカードが装着される端子を備えており、メモリーカードに記憶されたデータを読み出すインターフェースとして機能する。
【００３９】
制御部１０１は、ＣＰＵ（Central Processing Unit）、ＲＯＭ（Read Only Memory）、ＲＡＭ（Random Access Memory）、入力ポートおよび出力ポートなどを備えた、所謂マイクロコンピュータを有している。ＲＯＭには、各部を制御するための制御プログラムが記憶されており、ＣＰＵにより制御プログラムが実行されると、書き込み装置１の各部が制御され、表示媒体２１に画像を表示させる機能が実現する。
【００４０】
（実施形態の動作）
まず、表示装置２を書き込み装置１にセットする時の動作について説明し、次に表示装置２に画像を表示させる時の動作について説明する。
【００４１】
表示装置２が書き込み装置１にセットされていない状態においては、図８（ａ）に示したように、蓋部１Ｂに配置された磁石１２ＡのＮ極と本体部１Ａに配置された磁石１５ＡのＳ極が対向する。また、磁石１２ＢのＮ極と磁石１５ＢのＳ極が対向し、磁石１２ＣのＳ極と磁石１５ＣのＮ極が対向する。このように、蓋部１Ｂに配置された磁石と本体部１Ａに配置された磁石は、互いに異なる極が向かい合うため、磁石１２Ａ〜１２Ｃと磁石１５Ａ〜１５Ｃとの間で引力が発生する。磁石１２Ａ〜１２Ｃと磁石１５Ａ〜１５Ｃとの間で引力が発生すると、磁石１２Ａ〜１２Ｃを備えた蓋部１Ｂが本体部１Ａ側へ引き寄せられ、上壁部１１が本体部１Ａに密着する。
【００４２】
ユーザは、表示装置２を書き込み装置１にセットする場合、表示装置２において磁石２２が配置されている側の側面を、蓋部１Ｂにおいて側壁部１２が設けられていない側に移動させる。上壁部１１においては、側壁部１２が設けられていない側は、面取りされているため、この面取りされた部分に表示装置２が接触し、さらに表示装置２が磁石１２Ｃの方向へ押されると表示装置２が上壁部１１を押し上げて蓋部１Ｂが上方へ移動する。
【００４３】
また、表示装置２の磁石２２が上壁部１１に配置されている磁石１２Ａに近づく。ここで、磁石２２の表示面側はＮ極であり、磁石１２Ａにおいて磁石２２と対向する側はＮ極であるため、磁石２２と磁石１２Ａとの間に斥力が発生し、図９（ｂ）に示したように蓋部１Ｂと表示装置２との間に隙間が生じる。なお、磁石２２の書き込み面側はＳ極であり、本体部１Ａの磁石１５Ａにおいて磁石２２と対向する側はＳ極であるため、磁石１５Ａと磁石２２との間にも斥力が発生する。
【００４４】
図９（ｂ）に示した状態からさらに表示装置２が磁石１２Ｃの方向へ押され、表示装置２が図９（ｃ）に示した位置まで移動すると、磁石２２と磁石１２Ｂが対向する。ここで、磁石２２の表示面側はＮ極であり、磁石１２Ｂにおいて磁石２２と対向する側はＮ極であるため、磁石２２と磁石１２Ｂとの間に斥力が発生する。なお、磁石２２の書き込み面側はＳ極であり、本体部１Ａの磁石１５Ｂにおいて磁石２２と対向する側はＳ極であるため、磁石１５Ｂと磁石２２との間にも斥力が発生する。
【００４５】
そして、図９（ｃ）の状態からさらに表示装置２が磁石１２Ｃの方向へ押されて図９（ｄ）（図４のＢ−Ｂ線断面図）に示した状態になると、磁石２２は、磁石１２Ｃおよび磁石１５Ｃと対向する。磁石２２の表示面側はＮ極であり、磁石１２Ｃにおいて磁石２２と対向する側はＳ極であるため、磁石２２と磁石１２Ｃとの間に引力が発生する。また、磁石２２の書き込み面側はＳ極であり、本体部１Ａの磁石１５Ｃにおいて磁石２２と対向する側はＮ極であるため、磁石１５Ｃと磁石２２との間にも引力が発生する。磁石２２と磁石１２Ｃおよび磁石１５Ｃとの間に引力が発生すると、この引力によって表示装置２が本体部１Ａに密着すると共に、蓋部１Ｂが表示装置２に密着する。
なお、磁石１２ＢのＮ極と磁石１５ＢのＳ極が表示装置２を挟んで対向し、磁石１２ＡのＮ極と磁石１５ＡのＳ極が表示装置２を挟んで対向するため、磁石１２Ｂと磁石１５Ｂとの間および磁石１２Ａと磁石１５Ａとの間においても引力が発生する。すると、磁石１２Ｂと磁石１２Ａが表示装置２を本体部１Ａ側へ押して表示装置２を本体部１Ａに密着させ、表示装置２の表示媒体２１が書き込み装置１の液晶ディスプレイ１０２Ａに密着すると共に、電圧印加部１０３の端子と端子２０３Ａ〜２０３Ｄが電気的に接続される。
【００４６】
次に、表示媒体２１に画像を表示させる時の動作について説明する。
図８（ｄ）に示したように表示装置２が書き込み装置１にセットされた後、画像を表す画像データを記録したメモリーカードが挿入口１４に挿入され、メモリーカードがインターフェース部１０５に装着されると、制御部１０１は、メモリーカードが挿入されたことを検知し、メモリーカードに記憶されている画像データのファイル名を表示デバイス１０６Ａに表示する。ここで、書き込み装置１の使用者が、表示されたファイル名を選択する操作をタッチパネル１０６Ｂにおいて行うと、制御部１０１の制御の下、選択された画像データが表す画像がメモリーカードから読み出され、画像データの示す画像が表示デバイス１０６Ａに表示される。
【００４７】
次に、表示デバイス１０６Ａに表示された画像を表示装置２へ表示させる操作がタッチパネル１０６Ｂにおいて行われると、書き込み装置１は、使用者に選択された画像データが表す画像に従って書き込み部１０２と電圧印加部１０３を制御する。なお、画像データが表す画像は、赤、緑、青の三色の画像で構成されたカラーの画像である。
具体的には、表示層２０４Ｂ全体と表示層２０４Ｇ全体に分圧される実効電圧をＶｇ２とＶｂ２との間にするパルス状の電圧が電圧印加部１０３から導電層２０２Ａ，２０２Ｂへ印加され、表示層２０４Ｂは、配向状態がホメオトロピック相となり、表示層２０４Ｇは、配向状態がフォーカルコニック相となる。その際、画像データの示す画像のうち緑色の画像に応じて液晶ディスプレイ１０２Ａが制御され、表示媒体２１において緑の光を反射させる部分に液晶ディスプレイ１０２Ａから青の光が照射されると、感光層２０５Ｒの抵抗が低下し、光が照射された部分については、実効電圧がＶｇ２以上に増加し、表示層２０４Ｇにおいて電圧が増加した部分はホメオトロピック相となる。そして、パルス状の電圧の印加を停止すると、表示層２０４Ｇの配向状態は、光が照射されていない部分はフォーカルコニック相となり、光が照射された部分はプレーナ相となる。また、表示層２０４Ｂは全面がプレーナ相となる。
【００４８】
次に、表示層２０４Ｂ全体と表示層２０４Ｇ全体に分圧される実効電圧をＶｂ１以下の電圧Ｖｂ３にするパルス状の電圧が電圧印加部１０３から導電層２０２Ａ，２０２Ｂへ印加され、表示層２０４Ｇは上記の配向状態を保ち、表示層２０４Ｂはプレーナ相のままとなる。その際、画像データの示す画像のうち青色の画像に応じて液晶ディスプレイ１０２Ａが制御され、表示媒体２１において、青の光を透過させたい部分について液晶ディスプレイ１０２Ａから青の光が照射されると、感光層２０５Ｒの抵抗が低下し、光が照射された部分については、分圧されて印加される実効電圧がＶｂ１とＶｇ１との間の電圧に増加する。これにより、表示層２０４Ｂの配向状態は、光が照射されていない部分はプレーナ相となり、光が照射された部分はフォーカルコニック相となる。また、表示層２０４Ｇは上記の配向状態を保つ。
【００４９】
また、表示層２０４Ｒ全体に分圧される実効電圧をＶｒ１とＶｒ２との間の電圧にするパルス状の電圧が電圧印加部１０３から導電層２０２Ｃ，２０２Ｄへ印加され、表示層２０４Ｒは、配向状態がフォーカルコニック相となる。その際、画像データの示す画像のうち赤色の画像に応じて液晶ディスプレイ１０２Ａが制御され、表示媒体２１において赤の光を反射させる部分について液晶ディスプレイ１０２Ａから赤の光が照射されると、光が照射された部分については、感光層２０５ＢＧの抵抗が低下し、印加される電圧が電圧Ｖｒ２以上の電圧に増加する。そして、パルス状の電圧の印加を停止すると、表示層２０４Ｒの配向状態は、光が照射されていない部分はフォーカルコニック相となり、光が照射された部分はプレーナ相となる。
各表示層においてプレーナ相となった部分は光を反射し、フォーカルコニック相となった部分は光を透過する。各表示層で反射した光がユーザに到達し、反射した光に応じた画像が視認される。
【００５０】
なお、液晶ディスプレイ１０２Ａと表示媒体２１との間に隙間があると、液晶ディスプレイ１０２Ａから出力された光が拡散して感光層に到達し、表示媒体２１に表示される画像がぼやけることとなる。しかしながら、本実施形態においては、磁石の引力によって蓋部１Ｂが表示装置２を本体部１Ａ側へ押すため、表示媒体２１が液晶ディスプレイ１０２Ａに密着し、液晶ディスプレイ１０２Ａから出力された光が拡散することなく表示媒体２１の感光層へ到達するため、意図しない位置まで表示層の配向状態を変更させることがなく、画像がぼやけるのを抑えられる。
【００５１】
書き込み装置１のユーザは、表示装置２を書き込み装置１から取り外す場合には、表示装置２を書き込み装置１にセットした時と反対側へ引っ張る。そして、表示装置２が図８（ｃ）に示した位置まで移動すると、磁石２２と磁石１２Ｂとの間に斥力が発生し、蓋部１Ｂが上昇する。なお、磁石１５Ｂと磁石２２との間にも斥力が発生する。
【００５２】
図８（ｃ）に示した状態からさらに表示装置２を書き込み装置１にセットした時と反対側へ引っ張り、図８（ｂ）の位置まで移動すると、磁石２２は、磁石１２Ａおよび磁石１５Ａと対向する。ここでも磁石２２と磁石１２Ａとの間に斥力が発生し、磁石１５Ａと磁石２２との間にも斥力が発生する。
【００５３】
そして、さらに表示装置２を引っ張り、図８（ａ）に示したように表示装置２が書き込み装置１から離れると、磁石１２Ａと磁石１５Ａとの間、磁石１２Ｂと磁石１５Ｂとの間、および磁石１２Ｃと磁石１５Ｃとの間に引力が発生する。この引力により蓋部１Ｂは本体部１Ａ側へ引き寄せられ、蓋部１Ｂが本体部１Ａに密着する。
このように、表示装置２が書き込み装置１にセットされていない状態においては、蓋部１Ｂが本体部１Ａに密着するため、液晶ディスプレイ１０２Ａの表面が外部に露出せず、液晶ディスプレイ１０２Ａが傷ついたり、液晶ディスプレイ１０２Ａに埃がついたりすることを防ぐことができる。また、書き込み装置１に表示装置２がセットされていない状態においては、蓋部１Ｂが本体部１Ａ側に引き寄せられるため、書き込み装置１における出っ張りを小さくし、持ち運びが容易になる。
【００５４】
［第２実施形態］
次に本発明の第２実施形態について説明する。本発明の第２実施形態に係る書き込み装置は、第１実施形態と比較して蓋部の形状と、磁石の配置位置が異なる。なお、他の構成については同じであるため、以下の説明においては、第１実施形態と同じ構成については説明を省略し、第１実施形態との相違点を説明する。
【００５５】
図９は、本実施形態に係る書き込み装置と表示装置の上面図であり、図１０は、本実施形態に係る蓋部１Ｄの三面図である。蓋部１Ｄは、磁石１２Ａ，１２Ｂを備えている点で蓋部１Ｂと一致しているが、磁石１２Ｃを備えていない点で蓋部１Ｂと相違している。なお、本実施形態においては、磁石１２Ｂの磁力を磁石１２Ａの磁力より強くしてもよい。
また、蓋部１Ｄは、上壁部１１と対向し、側壁部１２と一体となった下壁部１６を有している。この下壁部１６は、矩形で板状の永久磁石である磁石１７を有している。なお、磁石１７は、磁石１２Ａと対向しており、磁石１２Ａと対向する側がＳ極であり、その反対側がＮ極となっている。また、側壁部１２には、側壁部１２を貫通する孔１８が設けられている。
【００５６】
図１１は、本実施形態に係る本体部１Ｃの外観図である。同図に示したように本体部１Ｃは、第１実施形態の本体部１Ａと比較すると磁石１５Ｂおよび磁石１５Ｃを備えていない点で相違している。
蓋部１Ｄの側壁部１２はスリット１３を通り、下壁部１６は本体部１Ｃの内部に位置し、上壁部１１は本体部１Ｃの外部に位置する。なお、本体部１Ｃの内部においてはピン１９が支持されており、このピン１９が側壁部１２の２つの孔１８を貫通し、蓋部１Ｄを回転可能に支持している。
【００５７】
次に、本実施形態の動作について説明する。図１２（ａ）は、図９のＣ−Ｃ線断面図である。表示装置２が書き込み装置１にセットされていない状態においては、図１２（ａ）に示したように、蓋部１Ｄに配置された磁石１２ＡのＮ極と本体部１Ａに配置された磁石１５ＡのＳ極が対向している。ここで、磁石１２Ａと磁石１５Ａは互いに異なる極が向かい合っているため、磁石１２Ａと磁石１５Ａとの間で引力が発生しており、磁石１２Ａが本体部１Ａ側へ引き寄せられ、磁石１２Ａが磁石１５Ａに接している。
【００５８】
次に、ユーザが表示装置２において磁石２２が配置されている側を磁石１２Ａと磁石１５Ａとの間に挿入すると、磁石２２の表示面側はＮ極であり、磁石１２Ａにおいて磁石２２と対向する側はＮ極であるため、磁石２２と磁石１２Ａとの間に斥力が発生して磁石１２Ａが磁石２２から離れ、蓋部１Ｄが図中ではピン１９を中心にして反時計方向に回転する。すると、下壁部１６の磁石１７が磁石１５Ａに近づく。ここで、磁石１５Ａにおいて磁石１７に向いている側はＮ極であり、磁石１７において磁石１５Ａに向いている側はＳ極であるため、磁石１７と磁石１５Ａとの間に引力が発生し、磁石１７が磁石１５Ａに引き寄せられて接触する。
【００５９】
図１２（ｂ）に示した状態からさらに表示装置２が押され、表示装置２が図１２（ｃ）に示した位置まで移動すると、磁石２２の表示面側はＮ極であり、磁石１２Ｂにおいて磁石２２と対向する側はＮ極であるため、磁石２２と磁石１２Ｂとの間に斥力が発生する。
【００６０】
そして、図１２（ｃ）の状態からさらに表示装置２を押して、表示装置２の側面が蓋部１Ｄの側壁部１２に接した後、ユーザが磁石１２Ａの部分を押し下げると、磁石１２Ａが磁石１５Ａに近づく。すると、磁石１２Ａと磁石１５Ａとの間に生じる引力により、図１２（ｄ）に示したように蓋部１Ｄが表示装置２を本体部１Ｃ側へ押して表示装置２を本体部１Ｃに密着させ、表示装置２の表示媒体２１が書き込み装置１の液晶ディスプレイ１０２Ａに密着すると共に、電圧印加部１０３と端子２０３Ａ〜２０３Ｄが電気的に接続される。
【００６１】
このように本実施形態においても、磁石の引力によって蓋部１Ｄが表示装置２を本体部１Ｃ側へ押すことにより、表示媒体２１が液晶ディスプレイ１０２Ａに密着する。そして、液晶ディスプレイ１０２Ａから出力された光が拡散することなく表示媒体２１の感光層へ到達するため、意図しない位置まで表示層の配向状態を変更させることがなく、画像がぼやけるのを抑えられる。
【００６２】
［第３実施形態］
次に本発明の第３実施形態について説明する。本発明の第３実施形態に係る書き込み装置は、第２実施形態と比較して磁石の配置位置が異なる。また、本実施形態においては表示装置２の構成が異なり、第２実施形態と比較して磁石の数が異なっている。なお、他の構成については第２実施形態と同じであるため、以下の説明においては、第２実施形態と同じ構成については説明を省略し、第２実施形態との相違点について説明する。
【００６３】
図１３は、本実施形態に係る書き込み装置１と表示装置２の上面図である。蓋部１Ｅは、磁石１２Ｂを備えていない点で蓋部１Ｄと相違している。また、表示装置２は、２つの磁石２３を備えている点で第２実施形態の表示装置２と相違している。磁石２３は矩形で板状の永久磁石であり、表示媒体２１の角部の近くに配置されている。また、磁石２３は、表示面側がＮ極であり、書き込み面側がＳ極となっている。
【００６４】
図１４（ａ）は、図１３のＤ−Ｄ線断面図である。蓋部１Ｅの側壁部１２はスリット１３を通り、下壁部１６は本体部１Ｃの内部に位置し、上壁部１１は本体部１Ｃの外部に位置する。なお、本体部１Ｃの内部においてはピン１９が支持されており、このピン１９が側壁部１２の２つの孔１８を貫通し、蓋部１Ｅを回転可能に支持している。
【００６５】
表示装置２が書き込み装置１にセットされていない状態においては、図１４（ａ）に示したように、蓋部１Ｅに配置された磁石１２ＡのＮ極と本体部１Ａに配置された磁石１５ＡのＳ極が対向している。ここで、磁石１２Ａと磁石１５Ａとの間で引力が発生しており、磁石１２Ａを備えた蓋部１Ｄが本体部１Ａ側へ引き寄せられ、磁石１２Ａが磁石１５Ａに接している。
【００６６】
次に、表示装置２において磁石２２が配置されている側を磁石１２Ａと磁石１５Ａとの間に挿入すると、磁石２２の表示面側はＮ極であり、磁石１２Ａにおいて磁石２２と対向する側はＮ極であるため、磁石２２と磁石１２Ａとの間に斥力が発生して磁石１２Ａが磁石２２から離れ、蓋部１Ｅが図中ではピン１９を中心にして反時計方向に回転する。すると、下壁部１６の磁石１７が磁石１５Ａに近づく。ここで、磁石１５Ａにおいて磁石１７に向いている側はＮ極であり、磁石１７において磁石１５Ａに向いている側はＳ極であるため、磁石１７と磁石１５Ａとの間に引力が発生し、磁石１７が磁石１５Ａに引き寄せられて接触する。
【００６７】
図１４（ｂ）に示した状態からさらに表示装置２が押され、表示装置２が図１４（ｃ）に示した位置まで移動すると、ここで、磁石２３と磁石１２Ａが対向する。磁石２３の表示面側はＮ極であり、磁石１２Ａにおいて磁石２３と対向する側はＮ極であるため、磁石２３と磁石１２Ａとの間に斥力が発生する。
【００６８】
そして、図１４（ｃ）の状態からさらに表示装置２が押され、表示装置２の側面が蓋部１Ｅの側壁部１２に接した後、ユーザが磁石１２Ａの部分を押し下げると、磁石１２Ａが磁石１５Ａに近づく。すると、磁石１２Ａと磁石１５Ａとの間に生じる引力により、図１４（ｄ）に示したように蓋部１Ｅが表示装置２を本体部１Ｃ側へ押して表示装置２を本体部１Ｃに密着させ、表示装置２の表示媒体２１が書き込み装置１の液晶ディスプレイ１０２Ａに密着すると共に、電圧印加部１０３と端子２０３Ａ〜２０３Ｄが電気的に接続される。
【００６９】
このように本実施形態においても、磁石の引力によって蓋部１Ｅが表示装置２を本体部１Ｃ側へ押すことにより、表示媒体２１が液晶ディスプレイ１０２Ａに密着する。そして、液晶ディスプレイ１０２Ａから出力された光が拡散することなく表示媒体２１の感光層へ到達するため、意図しない位置まで表示層の配向状態を変更させることがなく、画像がぼやけるのを抑えられる。
【００７０】
［第４実施形態］
次に本発明の第４実施形態について説明する。本発明の第４実施形態に係る書き込み装置は、第１実施形態と比較して磁石の配置位置と、配置されている磁石の種類、表示装置２を検知するセンサを有している点が異なる。
また、本実施形態においては表示装置２の構成が異なり、磁石２２を備えていない点で第１実施形態の表示装置２と相違している。なお、他の構成については第１実施形態と同じであるため、以下の説明においては、第１実施形態と同じ構成については説明を省略し、第２実施形態との相違点について説明する。
【００７１】
図１５は、本実施形態に係る書き込み装置１の本体部１Ｆと蓋部１Ｇとを分離した状態を示した図である。同図に示したように、蓋部１Ｇは、磁石１２Ｂを備えていない点で第１実施形態の蓋部１Ｂと相違している。また、本体部１Ｆにおいては、磁石１５Ａと同じ位置に電磁石１５Ｄ、磁石１５Ｃと同じ位置に電磁石１５Ｅが配置されている。電磁石１５Ｄと電磁石１５Ｅは、制御部１０１に接続されており、制御部１０１から流す電流の方向を変更することにより極を変えることができる。また、本体部１Ｆにおいては、センサ１１０Ａとセンサ１１０Ｂが配置されている。センサ１１０Ａとセンサ１１０Ｂは、光を出力する光源と、光を検知する素子を備えており、素子は光源から出力されて表示装置２で反射した光を検知する。
【００７２】
次に、本実施形態の動作について説明する。まず、図１６（ａ）〜図１６（ｄ）は、本実施形態に係る書き込み装置１の断面図である。図１６（ａ）に示したように、表示装置２が書き込み装置１にセットされていない状態においては、電磁石１５Ｄと電磁石１５Ｅには電流が流されていない。このため、磁石１２Ａと電磁石１５Ｄの鉄芯との間、および磁石１２Ｃと電磁石１５Ｅの鉄芯との間に引力が発生し、磁石１２Ａと磁石１２Ｃを備えた蓋部１Ｇが本体部１Ｆ側へ引き寄せられ、蓋部１Ｇと本体部１Ｆが密着している。
【００７３】
次に、センサ１１０Ａの位置に表示装置２が位置すると、センサ１１０Ａから出力された光が表示装置２で反射し、反射した光はセンサ１１０Ａに入射する。この反射した光がセンサ１１０Ａの素子で検知されると、制御部１０１は、電磁石１５Ｄと電磁石１５Ｅにおいて蓋部１Ｇに向いている側がＮ極となるように各電磁石に電流を流す。すると、磁石１２Ａ，１２Ｃにおいて本体部１Ｆに向いている側はＮ極であるため、蓋部１Ｇの磁石と本体部１Ｆの電磁石との間に斥力が発生する。この斥力により蓋部１Ｇが本体部１Ｆから離れ、図１６（ｂ）に示したように、蓋部１Ｇと本体部１Ｆとの間に隙間が生じる。
【００７４】
ユーザは、図１６（ｂ）、図１６（ｃ）に示したように、この隙間に表示装置２を挿入する。そして、表示装置２が移動し、センサ１１０Ｂの位置に表示装置２が位置すると、センサ１１０Ｂから出力された光が表示装置２で反射し、反射した光はセンサ１１０Ｂに入射する。この反射した光がセンサ１１０Ｂの素子で検知されると、制御部１０１は、電磁石１５Ｄと電磁石１５Ｅにおいて蓋部１Ｇに向いている側がＳ極となるように各電磁石に電流を流す。
ここで、磁石１２Ａ，１２Ｃにおいて本体部１Ｆに向いている側はＮ極であるため、蓋部１Ｇの磁石と本体部１Ｆの電磁石との間に引力が発生し、この引力により蓋部１Ｇが本体部１Ｆ側へ引き寄せられる。蓋部１Ｇが本体部１Ｆ側へ引き寄せられると、蓋部１Ｇが表示装置２を本体部１Ｆ側へ押し下げ、表示装置２が本体部１Ｆに密着すると共に、蓋部１Ｇが表示装置２に密着する。ここで、表示装置２の表示媒体２１が書き込み装置１の液晶ディスプレイ１０２Ａに密着すると共に、電圧印加部１０３と端子２０３Ａ〜２０３Ｄが電気的に接続される。
【００７５】
このように本実施形態においても、磁石の引力によって蓋部１Ｇが表示装置２を本体部１Ｆ側へ押すことにより、表示媒体２１が液晶ディスプレイ１０２Ａに密着する。そして、液晶ディスプレイ１０２Ａから出力された光が拡散することなく表示媒体２１の感光層へ到達するため、意図しない位置まで表示層の配向状態を変更させることがなく、画像がぼやけるのを抑えられる。
【００７６】
なお、本実施形態においては、蓋部１Ｇに永久磁石を配置し、本体部１Ｆに電磁石を配置しているが、蓋部１Ｇに電磁石を配置し、本体部１Ｆに永久磁石を配置してもよい。
また、本実施形態においては、ユーザがタッチパネル１０６Ｂを操作することにより電磁石１５Ｄ，１５Ｅに電流が流れるようにしてもよい。
図１７は、この変形例に係る書き込み装置１の本体部１Ｆと蓋部１Ｇとを分離した状態を示した図である。同図に示したように、この構成に係る書き込み装置１は、センサ１１０Ａ，１１０Ｂを備えていない。
【００７７】
この構成において、ユーザが本体部１Ｆのタッチパネル１０６Ｂを操作し、蓋部１Ｇを本体部１Ｆから上げるように指示する操作を行うと、制御部１０１は、電磁石１５Ｄと電磁石１５Ｅにおいて蓋部１Ｇに向いている側がＮ極となるように各電磁石に電流を流す。すると、磁石１２Ａ，１２Ｃにおいて本体部１Ｆに向いている側はＮ極であるため、蓋部１Ｇの磁石と本体部１Ｆの電磁石との間に斥力が発生する。この斥力により蓋部１Ｇが本体部１Ｆから離れ、蓋部１Ｇと本体部１Ｆとの間に隙間が生じる。
ユーザは、この隙間に表示装置２を挿入し、表示装置２の側面を側壁部１２に接触させると、本体部１Ｆのタッチパネル１０６Ｂを操作し、蓋部１Ｇを本体部１Ｆ側へ下げるように指示する操作を行う。すると、制御部１０１は、電磁石１５Ｄと電磁石１５Ｅにおいて蓋部１Ｇに向いている側がＳ極となるように各電磁石に電流を流す。ここで、磁石１２Ａ，１２Ｃにおいて本体部１Ｆに向いている側はＮ極であるため、蓋部１Ｇの磁石と本体部１Ｆの電磁石との間に引力が発生し、この引力により蓋部１Ｇが本体部１Ｆ側へ引き寄せられる。蓋部１Ｇが本体部１Ｆ側へ引き寄せられると、蓋部１Ｇが表示装置２を本体部１Ｆ側へ押し下げ、表示装置２が本体部１Ｆに密着すると共に、蓋部１Ｇが表示装置２に密着する。ここで、表示装置２の表示媒体２１が書き込み装置１の液晶ディスプレイ１０２Ａに密着すると共に、電圧印加部１０３と端子２０３Ａ〜２０３Ｄが電気的に接続される。
【００７８】
なお、本実施形態においては、センサ１１０Ａ，１１０Ｂは、光を使用するセンサとなっているが、表示装置２を検知するセンサは、光を使用するもの以外であってもよく、例えば、超音波を出力し、表示装置２で反射した超音波を検出するものであってもよい。
【００７９】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００８０】
上述した第２実施形態においては、蓋部１Ｄに下壁部１６を設けているが、第２実施形態においては、蓋部１Ｄに下壁部１６を設けない構成としてもよい。
また、上述した第１実施形態においては、矩形の蓋部１Ｂの三辺に側壁部１２が設けられているが、蓋部１Ｂは、磁石１２Ｂから見て磁石１２Ｂと反対側にある側壁を有しない構成であってもよい。
【００８１】
上述した実施形態においては、書き込み装置１は、表示媒体２１に光を照射する書き込み部１０２を備えているが、書き込み装置１は、書き込み部１０２を備えていない構成であってもよい。なお、この構成においては、透明電極で構成された複数のアドレス線を蓋部に配置し、このアドレス線と直交し、透明電極で構成された複数のデータ線を本体部に設け、このデータ線とアドレス線に印加する電圧を制御部１０１が制御することにより表示媒体への電圧の印加位置と印加電圧を制御し、表示層の配向状態を変更するようにしてもよい。
【００８２】
上述した各実施形態においては、磁石の極が向く方向は上述した方向に限定されるものではなく、上述した方向と逆の方向に向けられていてもよい。
また、上述した実施形態において磁石１５Ａ〜１５Ｃは、本体部の表面に露出せず、本体部の内部に位置していてもよい。
また、上述した実施形態において電磁石１５Ｄ，１５Ｅも、本体部の表面に露出せず、本体部の内部に位置していてもよい。
また、磁石１２Ａ〜１２Ｃについても、蓋部の表面に露出せず、蓋部の内部に位置していてもよい。
また、磁石２２，２３についても、表示装置２の表面に露出せず、表示装置２の筐体内部に位置していてもよい。
【符号の説明】
【００８３】
１・・・書き込み装置、２・・・表示装置、１Ａ，１Ｃ，１Ｆ・・・本体部、１Ｂ，１Ｄ，１Ｅ，１Ｇ・・・蓋部、１１・・・上壁部、１２・・・側壁部、１２Ａ〜１２Ｃ・・・磁石、１３・・・スリット、１５Ａ〜１５Ｃ・・・磁石、１５Ｄ，１５Ｅ・・・電磁石、１６・・・下壁部、１７・・・磁石、１８・・・孔、１９・・・ピン、２１・・・表示媒体、２２，２３・・・磁石、１０１・・・制御部、１０２・・・書き込み部、１０２Ａ・・・液晶ディスプレイ、１０３・・・電圧印加部、１０５・・・インターフェース部、１０６・・・操作部、１０６Ａ・・・液晶ディスプレイ、１０６Ｂ・・・タッチパネル、１１０Ａ，１１０Ｂ・・・センサ
【図１】
2011007878.tif 000003
【図２】
2011007878.tif 000004
【図３】
2011007878.tif 000005
【図４】
2011007878.tif 000006
【図５】
2011007878.tif 000007
【図６】
2011007878.tif 000008
【図７】
2011007878.tif 000009
【図８】
2011007878.tif 000010
【図９】
2011007878.tif 000011
【図１０】
2011007878.tif 000012
【図１１】
2011007878.tif 000013
【図１２】
2011007878.tif 000014
【図１３】
2011007878.tif 000015
【図１４】
2011007878.tif 000016
【図１５】
2011007878.tif 000017
【図１６】
2011007878.tif 000018
【図１７】
2011007878.tif 000019